(57)【要約】【課題】受信レベルとエラーレートを出力音声にて同時に監視できるようにすることにより、例えば、移動体からの信号を受信するデジタル復調受信機の場合、扱者がアンテナ操作を行っているときでも簡単にエラーレートと受信レベルの監視ができるようにする。【解決手段】受信レベルに応じた周波数の音声信号を出力すると共に、エラーレートに応じたパルス信号を前述の音声信号に合成して出力することにより、扱者は、音声の高低で受信レベルが高いか否かを把握できるだけでなく、パルス雑音の量でエラーレートが多いか否かを把握できるようにする。【選択図】図１
2005109853.tif 000002
【特許請求の範囲】
【請求項１】
誤り訂正機能を備えたデジタル復調受信機に於いて、
誤り訂正回路部からのエラーレートを表す情報と受信信号レベルに対応して周波数が変化する信号を合成して音声情報にて出力することを特徴とするデジタル復調受信機。
【発明の詳細な説明】
【技術分野】
【０００１】
本発明は、デジタル復調受信機の改善に関するものである。
【背景技術】
【０００２】
所定ビット列以外のビット列(ＰＮパターン等、ビットエラーを測定するためのビット列でない一般のビット列を言う)に対してのエラービットの割合(エラーレート、即ち、ビット列に含まれているエラービットの割合)は、復調部に備えている誤り訂正回路から出力される情報量（誤り訂正が出来た情報量）を処理することによって得られると共に、操作表示部等に表示される。
【０００３】
また、受信レベルはアナログ受信部の信号検波回路からの直流電圧を処理することによって得られるが、この受信レベルを受信メータに表示することにより扱者が目視により受信レベルを監視することができる。更に、入力信号の直流電圧に応じて出力信号の周波数が変化するＶ／Ｆ変換器に、信号検波回路からの直流電圧を入力させることにより、出力された音声の周波数から受信レベルを監視することもできる。
【０００４】
従来のデジタル復調受信機に於いては、前述の通り、エラーレートを扱者が目視できるように表示し、受信レベルを扱者が目視できるようにするためにメータ表示していた。また、受信レベルに応じた周波数で音声を出力することにより、扱者は出力された音声の周波数から受信レベルを把握できるようにしていた。
【０００５】
しかるに、エラーレートを表示させると共に受信レベルに応じた周波数での音声出力を行った場合、エラーレートについては視覚、受信レベルについては聴覚により扱者が把握しなければならないが、実際には、扱者の視覚と聴覚を駆使して同時にエラーレートと受信レベルを監視することが出来ないという欠点があった。
【０００６】
特に、移動体からの信号を受信するデジタル復調受信機の場合、エラーレートと受信レベルの監視と同時に、デジタル復調受信機のアンテナを最適な方向に向けるように常に操作しなければならないため、扱者にとって煩雑過ぎるデジタル復調受信機となるという欠点があった。
【０００７】
なお、受信レベルだけでなくエラーレート等を映像化することにより、扱者の視覚により伝送状態を把握することについては、特開２００１−３３９７４３号公報に記載されている。
【特許文献１】特開２００１−３３９７４３号公報
【発明の開示】
【発明が解決しようとする課題】
【０００８】
そこで本発明では、前述の欠点を除去するために、受信レベルとエラーレートを出力音声にて同時に監視できるようにすることにより、例えば、移動体からの信号を受信するデジタル復調受信機の場合、扱者がアンテナ操作を行っているときでも簡単にエラーレートと受信レベルの監視ができるようにすることを目的とする。
【課題を解決するための手段】
【０００９】
前述の目的を達成するため、本発明では、受信レベルに応じた周波数の音声信号を出力すると共に、エラーレートに応じたパルス信号を前述の音声信号に合成して出力するようにしたものである。
【００１０】
その結果、受信レベルのみならず、エラーレートに関しても音声信号にて監視出来るため、受信レベルとエラーレートの監視が簡単に行えることにより、例えば、移動体からの信号を受信するデジタル復調受信機の場合、扱者はアンテナ操作に集中でき、誤操作を少なくできる利点がある。
【発明の効果】
【００１１】
以上説明した如く、本発明では、音声信号のみで受信信号レベルとエラーレートを監視できるため、例えば、移動体からの信号を受信するデジタル復調受信機の場合、扱者はアンテナ操作に集中できるという効果が得られる。
【発明を実施するための最良の形態】
【００１２】
以下、本発明の一実施例であるデジタル復調受信機について、図１、２を参照して説明する。
図１は、本実施例のデジタル復調受信機の構成を示すブロック図である。図２は、本実施例のデジタル復調受信機におけるＶ／Ｆ変換回路、波形変換回路、信号合成回路の出力信号の信号波形図である。
【００１３】
１は、図示しないアンテナで受信したデジタル変調された高周波受信信号である。２は、高周波受信信号を一定レベルに増幅すると共に中間周波信号に変換する回路（以下、受信高周波部と称する）である。３は、受信高周波部２が出力する受信高周波信号を検波する検波回路である。４は、検波回路３からの検波出力信号の電圧に応じて出力信号の周波数が変化するＶ／Ｆ変換回路である。５は、受信高周波部２からの中間周波信号をデジタル復調することにより変調前のデジタル信号に変換するデジタル復調回路である。６は、復調したデジタル信号をエラー訂正アルゴリズムで誤り訂正を行うことにより、更に正確なデジタル信号に変換する誤り訂正回路である。７は、誤り訂正されたデジタル信号から元の信号列になるようにフォーマット変換するデジタル信号出力回路である。８は、誤り訂正回路６が誤り訂正した時に出力するエラーレートを表すパルス信号を可聴出来るパルス信号に変換する波形変換回路である。９は、波形変換回路８からのパルス信号とＶ／Ｆ変換器４からの正弦波信号を合成し音声信号として出力する信号合成回路である。
【００１４】
デジタル変調された高周波受信信号１は、受信高周波部２にて信号増幅されると共に中間周波数に変換された後、デジタル復調回路５に伝送され、更に、後段の誤り訂正回路６及びデジタル信号出力回路７でそれぞれ誤り訂正処理、フォーマット変換され、元の信号列のデータフォーマットになったデジタル信号が出力される。
【００１５】
復調後のデジタル信号(デジタル復調回路５からの出力信号)は、前述の様に、誤り訂正回路６にて誤り訂正されると共に、誤り訂正回路６からは正しいデータ列との差分であるエラーレートを表す誤差信号パルスが出力される。この誤差信号パルスは極めて短いパルス信号であり可聴出来る信号として扱えない信号である。そこで、可聴出来る信号に変換するため、次段の波形変換回路８にて可聴出来るパルス幅及び同期に変換する。可聴出来るパルス幅及び同期に変換されたパルス信号は、次段の信号合成回路９に入力される。この信号波形を図２の（ｂ）に示す。
【００１６】
一方、検波回路３からの検波出力信号は、Ｖ／Ｆ変換器４にて受信高周波信号のレベルに対応して周波数が変化した正弦波に変換された後、信号合成回路９に入力される。この信号波形を図２の（ａ）に示す。
【００１７】
信号合成回路９からの出力は図２の（ｂ）のパルス信号と図２の（ａ）の正弦波信号が合成された図２の（ｃ）の波形のようになり、正弦波波形とパルス波形とが合成された信号となる。
【００１８】
受信レベルが高くエラーレートが少ない場合は、高い音声でしかもパルス数が少ないのでパルス雑音の少ない音声出力となる。また、受信レベルが低くエラーレートが多い場合は、低い音声でしかもパルス数が多いのでパルス雑音が多い音声出力となる。
【００１９】
従って、本実施例では、信号合成回路９の出力が音声として出力されたとき、扱者は、音声の高低で受信レベルが高いか否かを把握できるだけでなく、パルス雑音の量でエラーレートが多いか否かを把握できる。
【００２０】
以上のように、本実施例では、信号合成回路９から出力される音声信号のみで受信信号レベルとエラーレートを監視できるため、例えば、移動体からの信号を受信するデジタル復調受信機の場合、扱者はアンテナ操作に集中できるという効果が得られる。
【図面の簡単な説明】
【００２１】
【図１】本発明の一実施例であるデジタル信号復調受信機の構成を示すブロック図。
【図２】本発明の一実施例であるデジタル信号復調受信機におけるＶ／Ｆ変換回路、波形変換回路、信号合成回路の出力信号の信号波形図。
【符号の説明】
【００２２】
１：デジタル変調された高周波入力信号
２：受信高周波部
３：検波回路
４：Ｖ／Ｆ変換回路
５：デジタル復調回路
６：誤り訂正回路
７：デジタル信号出力回路
８：波形変換回路
９：信号合成回路
【図１】
2005109853.tif 000003
【図２】
2005109853.tif 000004